【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
映像信号を符号化して符号化データを生成するオーサリングシステムにおいて、  
上記映像信号を再生する際の頭出し点が指定された場合、上記頭出し点に相当するピクチャが表示順にみて新たなＧＯＰの先頭になるように、当該新たなＧＯＰの区切りを決定する区切り決定手段と、
上記区切り決定手段により決定された上記新たなＧＯＰの間で符号化に伴う参照予測を必要としないように、上記新たなＧＯＰ内におけるピクチャのピクチャタイプを再構成して、上記新たなＧＯＰを構成することにより、上記頭出し点を含むカットシーケンスを構成するカットシーケンス構成手段と、
上記カットシーケンス構成手段により構成された上記カットシーケンスに従って上記映像信号を符号化することにより、符号化に伴う発生ビット量を算出する発生ビット量算出手段と、
上記発生ビット量算出手段により算出された上記発生ビット量に基づいて、上記映像信号を符号化する際に割り振る割り振りビット量を算出する割り振りビット量算出手段と、
上記割り振りビット量算出手段により算出された割り振りビット量及び上記カットシーケンス構成手段により構成された上記カットシーケンスに従って上記映像信号を符号化することにより、上記符号化データを生成する符号化手段と、
を有するオーサリングシステム。
【請求項２】
上記符号化手段は、上記符号化データのうちの一部のＧＯＰ又は所定区間分の量子化レベルを変更して再符号化する
請求項１に記載のオーサリングシステム。
【請求項３】
上記符号化手段は、上記発生ビット量算出手段により算出された発生ビット量の総和である総発生ビット量に応じて、上記カットシーケンスに対応する部分の量子化レベルを変更する
請求項１に記載のオーサリングシステム。
【請求項４】
上記カットシーケンス構成手段は、上記頭出し点に相当するピクチャがＩピクチャとなるように上記カットシーケンスを構成するとともに、上記区切りの直前のＧＯＰにおいて表示順にみた最後のピクチャがＰピクチャとなるように上記カットシーケンスを構成する
請求項１に記載のオーサリングシステム。
【請求項５】
上記区切り決定手段は、記録媒体の論理フォーマットにおける再生単位又は記録媒体の物理フォーマットにおける再生単位の切れ目を、上記ＧＯＰの区切りとして決定する
請求項１に記載のオーサリングシステム。
【請求項６】
上記符号化手段により生成された上記符号化データを記録媒体に記録する記録手段を更に有する
請求項１に記載のオーサリングシステム。
【請求項７】
上記符号化手段により生成された上記符号化データを出力する出力手段を更に有する
請求項１に記載のオーサリングシステム。
【請求項８】
映像信号を符号化して符号化データを生成するオーサリング方法において、
上記映像信号を再生する際の頭出し点が指定された場合、上記頭出し点に相当するピクチャが表示順にみて新たなＧＯＰの先頭になるように、当該新たなＧＯＰの区切りを決定する区切り決定工程と、
上記区切り決定工程により決定された上記新たなＧＯＰの間で符号化に伴う参照予測を必要としないように、上記新たなＧＯＰ内におけるピクチャのピクチャタイプを再構成して、上記新たなＧＯＰを構成することにより、上記頭出し点を含むカットシーケンスを構成するカットシーケンス構成工程と、
上記カットシーケンス構成工程により構成された上記カットシーケンスに従って上記映像信号を符号化することにより、符号化に伴う発生ビット量を算出する発生ビット量算出工程と、
上記発生ビット量算出工程により算出された上記発生ビット量に基づいて、上記映像信号を符号化する際に割り振る割り振りビット量を算出する割り振りビット量算出工程と、
上記割り振りビット量算出工程により算出された割り振りビット量及び上記カットシーケンス構成工程により構成された上記カットシーケンスに従って上記映像信号を符号化することにより、上記符号化データを生成する符号化工程と、
を含むオーサリング方法。
【請求項９】
映像信号を符号化して符号化データを生成するオーサリングシステムにおいて、
上記映像信号の所定位置においてカットが指定された場合、上記カットに相当するピクチャが表示順にみて新たなＧＯＰの先頭になるように、当該新たなＧＯＰの区切りを決定する区切り決定手段と、
上記区切り決定手段により決定された上記新たなＧＯＰの間で符号化に伴う参照予測を必要としないように、上記新たなＧＯＰ内におけるピクチャのピクチャタイプを再構成して、上記新たなＧＯＰを構成することにより、上記カットを含むカットシーケンスを構成するカットシーケンス構成手段と、
上記カットシーケンス構成手段により構成された上記カットシーケンスに従って上記映像信号を符号化することにより、符号化に伴う発生ビット量を算出する発生ビット量算出手段と、
上記発生ビット量算出手段により算出された上記発生ビット量に基づいて、上記映像信号を符号化する際に割り振る割り振りビット量を算出する割り振りビット量算出手段と、
上記割り振りビット量算出手段により算出された割り振りビット量及び上記カットシーケンス構成手段により構成された上記カットシーケンスに従って上記映像信号を符号化することにより、上記符号化データを生成する符号化手段と、
を有するオーサリングシステム。
【請求項１０】
上記符号化手段は、上記符号化データのうちの一部のＧＯＰ又は所定区間分の量子化レベルを変更して再符号化する
請求項９に記載のオーサリングシステム。
【請求項１１】
上記符号化手段は、上記発生ビット量算出手段により算出された発生ビット量の総和である総発生ビット量に応じて、上記カットシーケンスに対応する部分の量子化レベルを変更する
請求項９に記載のオーサリングシステム。
【請求項１２】
上記カットシーケンス構成手段は、上記カットに相当するピクチャがＩピクチャとなるように上記カットシーケンスを構成するとともに、上記区切りの直前のＧＯＰにおいて表示順にみた最後のピクチャがＰピクチャとなるように上記カットシーケンスを構成する
請求項９に記載のオーサリングシステム。
【請求項１３】
上記区切り決定手段は、記録媒体の論理フォーマットにおける再生単位又は記録媒体の物理フォーマットにおける再生単位の切れ目を、上記ＧＯＰの区切りとして決定する
請求項９に記載のオーサリングシステム。
【請求項１４】
上記符号化手段により生成された上記符号化データを記録媒体に記録する記録手段を更に有する
請求項９に記載のオーサリングシステム。
【請求項１５】
上記符号化手段により生成された上記符号化データを出力する出力手段を更に有する
請求項９に記載のオーサリングシステム。
【請求項１６】
映像信号を符号化して符号化データを生成するオーサリング方法において、
上記映像信号の所定位置においてカットが指定された場合、上記カットに相当するピクチャが表示順にみて新たなＧＯＰの先頭になるように、当該新たなＧＯＰの区切りを決定する区切り決定工程と、
上記区切り決定工程により決定された上記新たなＧＯＰの間で符号化に伴う参照予測を必要としないように、上記新たなＧＯＰ内におけるピクチャのピクチャタイプを再構成して、上記新たなＧＯＰを構成することにより、上記カットを含むカットシーケンスを構成するカットシーケンス構成工程と、
上記カットシーケンス構成工程により構成された上記カットシーケンスに従って上記映像信号を符号化することにより、符号化に伴う発生ビット量を算出する発生ビット量算出工程と、
上記発生ビット量算出工程により算出された上記発生ビット量に基づいて、上記映像信号を符号化する際に割り振る割り振りビット量を算出する割り振りビット量算出工程と、
上記割り振りビット量算出工程により算出された割り振りビット量及び上記カットシーケンス構成工程により構成された上記カットシーケンスに従って上記映像信号を符号化することにより、上記符号化データを生成する符号化工程と、
を含むオーサリング方法。
【手続補正２】
【補正対象書類名】明細書
【補正対象項目名】００３１
【補正方法】変更
【補正の内容】
【００３１】
主要な発明の内の１つは、映像信号を符号化して符号化データを生成するオーサリングシステムにおいて、上記映像信号を再生する際の頭出し点が指定された場合、上記頭出し点に相当するピクチャが表示順にみて新たなＧＯＰの先頭になるように、当該新たなＧＯＰの区切りを決定する区切り決定手段と、上記区切り決定手段により決定された上記新たなＧＯＰの間で符号化に伴う参照予測を必要としないように、上記新たなＧＯＰ内におけるピクチャのピクチャタイプを再構成して、上記新たなＧＯＰを構成することにより、上記頭出し点を含むカットシーケンスを構成するカットシーケンス構成手段と、上記カットシーケンス構成手段により構成された上記カットシーケンスに従って上記映像信号を符号化することにより、符号化に伴う発生ビット量を算出する発生ビット量算出手段と、上記発生ビット量算出手段により算出された上記発生ビット量に基づいて、上記映像信号を符号化する際に割り振る割り振りビット量を算出する割り振りビット量算出手段と、上記割り振りビット量算出手段により算出された割り振りビット量及び上記カットシーケンス構成手段により構成された上記カットシーケンスに従って上記映像信号を符号化することにより、上記符号化データを生成する符号化手段と、を有するオーサリングシステムである。
【手続補正３】
【補正対象書類名】明細書
【補正対象項目名】００３２
【補正方法】変更
【補正の内容】
【００３２】
上記発明によれば、映像信号を符号化して生成した符号化データが記録された記録媒体を再生するとき、頭出し点の情報を高速、且つ、正しく再生する。
【手続補正４】
【補正対象書類名】明細書
【補正対象項目名】００３３
【補正方法】変更
【補正の内容】
【００３３】
上述せる本発明によれば、映像信号を符号化して生成した符号化データが記録された記録媒体を再生するとき、頭出し点が一意に決定できるようにし、安定した頭出し機能の提供を保証することができるという効果がある。